(57)【特許請求の範囲】
【請求項１】
複数のページにより構成されたレコードを、印刷媒体の印刷領域であるシートごとに前記各ページを印刷して構成された印刷物を検査する画像検査装置であって、
前記レコードと前記シートとの対応関係を記憶する対応関係記憶手段と、
前記印刷媒体に印刷された前記レコードを前記シート単位で走査したシート走査画像として記憶するシート走査画像記憶手段と、
前記シート走査画像を検査するシート走査画像検査手段と、
前記シート走査画像の検査結果について前記対応関係に基づきレコードをエラー表示とともに表示する検査結果一覧表示手段と、
前記検査結果一覧表示手段に表示された前記レコードに対する再印刷の要否を指示する再印刷要否指示手段と、
前記再印刷要否指示手段で再印刷が必要とされた前記レコードについて、当該レコードに対応するシートを前記対応関係により求め、当該シートと対応づけられたレコードを再印刷の対象とする再印刷指定手段と、
を備えていることを特徴とする画像検査装置。
【請求項２】
請求項１に記載の画像検査装置であって、
前記再印刷指定手段は、前記再印刷要否指示手段により再印刷を不要とされた前記レコードについて、当該レコードに関連するレコードを前記対応関係により求め、前記検査結果一覧表示手段におけるこれらのレコードのエラー表示を除去して表示させることを特徴とする画像検査装置。
【請求項３】
請求項２に記載の画像検査装置であって、
前記検査結果一覧表示手段は、前記印刷媒体を模した印刷媒体状領域におけるエラー表示のレコードの位置を表示することを特徴とする画像検査装置。
【請求項４】
複数のページにより構成されたレコードを、印刷媒体の印刷領域であるシートごとに前記各ページを印刷して構成された印刷物を検査する画像検査装置の再印刷指定方法であって、
前記印刷媒体に印刷された際に、前記レコードと前記シートとの対応関係を記憶する対応関係記憶過程と、
前記印刷媒体に印刷された前記レコードを前記シート単位で走査したシート走査画像として記憶するシート走査画像記憶過程と、
前記シート走査画像を検査するシート走査画像検査過程と、
前記シート走査画像の検査結果について前記対応関係に基づきレコードをエラー表示とともに表示する検査結果一覧表示過程と、
前記検査結果一覧表示過程で表示された前記レコードに対する再印刷の要否を指示する再印刷要否指示過程と、
前記再印刷要否指示過程で再印刷が必要とされた前記レコードについて、当該レコードに対応するシートを前記対応関係により求め、当該シートと対応づけられたレコードを再印刷の対象とする再印刷指定過程と、
を実施することを特徴とする画像検査装置の再印刷指定方法。
【請求項５】
複数のページにより構成されたレコードを、印刷媒体の印刷領域であるシートごとに前記各ページを印刷して構成された印刷物を検査する画像検査装置の再印刷指定プログラムであって、
前記印刷媒体に印刷された際に、前記レコードと前記シートとの対応関係を記憶する対応関係記憶処理と、
前記印刷媒体に印刷された前記レコードを前記シート単位で走査したシート走査画像として記憶するシート走査画像記憶処理と、
前記シート走査画像を検査するシート走査画像検査過程と、
前記シート走査画像の検査結果について前記対応関係に基づきレコードをエラー表示とともに表示する検査結果一覧表示処理と、
前記検査結果一覧表示処理で表示された前記レコードに対する再印刷の要否を指示する再印刷要否指示処理と、
前記再印刷要否指示処理で再印刷が必要とされた前記レコードについて、当該レコードに対応するシートを前記対応関係により求め、当該シートと対応づけられたレコードを再印刷の対象とする再印刷指定処理と、
を前記画像検査装置の制御手段に実行させることを特徴とする画像検査装置の再印刷指定プログラム。
【請求項６】
複数のページにより構成されたレコードを、印刷媒体の印刷領域であるシートごとに前記各ページを印刷して構成された印刷物を検査する画像検査装置を備えた印刷装置であって、
前記印刷媒体に前記印刷物を印刷する印刷手段と、
前記レコードと前記シートとの対応関係を記憶する対応関係記憶手段と、
前記印刷媒体に印刷された前記レコードを前記シート単位で走査したシート走査画像として記憶するシート走査画像記憶手段と、
前記シート走査画像を検査するシート走査画像検査手段と、
前記シート走査画像の検査結果について前記対応関係に基づきレコードをエラー表示とともに表示するシート検査結果一覧表示手段と、
前記シート検査結果一覧表示手段に表示された前記レコードに対する再印刷の要否を指示する再印刷要否指示手段と、
前記再印刷要否指示手段で再印刷が必要とされた前記レコードについて、当該レコードに対応するシートを前記対応関係により求め、当該シートと対応づけられたレコードを前記印刷手段に再印刷させる再印刷制御手段と、
を備えていることを特徴とする印刷装置。
【発明の詳細な説明】
【技術分野】
【０００１】
本発明は、複数のページからなるレコードの印刷物を検査するとともに、欠点があった際の再印刷の指示を行う画像検査装置及びその再印刷指定方法及びそのプログラム並びにそれを備えた印刷装置に関する。
【背景技術】
【０００２】
最近の印刷装置では、帳票などの定型的な印刷を行うトランザクション印刷から、長尺の印刷用紙に対して都度様式が異なることが多い印刷を行うPOD(Print On Demand)印刷への移行が進んでいる。このPOD印刷の代表的なものとしては、例えば、クレジットカードによる利用代金明細がある。
【０００３】
このような利用代金明細は、利用回数や利用点数が多い利用者とそうでない利用者とでは、必要となるページ数が異なる。また、印刷用紙の幅寸法によっては、その幅方向に他の利用者の利用代金明細が印刷されることもある。つまり、利用者を「レコード」で表現し、印刷用紙の搬送方向に区切られた一つの印刷領域を「シート」で表現し、利用者の利用代金明細を「ページ」で表した場合、ある一人の利用者の利用代金明細は、複数のシートにわたってそれぞれのシートに一つのページが印刷されて形成されることが多い。換言すると、あるレコードは、複数のページで構成され、それぞれのページが一つのシートに印刷されることが多い。
【０００４】
ところで、印刷を終えた後は、印刷不良があるか否かを検査するために、画像検査装置によりシート単位で検査する。そして、印刷不良である欠点があり、利用代金明細が複数のシートで形成されている場合には、その一部だけを再印刷させることができないので、その利用者の利用代金明細と、同じシートに他の利用者の利用代金明細が含まれている場合には、その欠点が見つかったシートに含まれる二つのレコードとを再印刷するように指定する必要がある。
【０００５】
そのような再印刷の指定を行うために、各シートに固有の番号（デコード番号）を印刷しておくことが考えられる。この場合には、デコード番号とシート番号とを関連付けておくことにより、欠点が見つかったシート番号のデコード番号から、どのレコードを再印刷すればよいか判断できる。しかしながら、印刷物のデザイン上、デコード番号を各シートに印刷できるとは限らないので、再印刷の対象であるレコードを容易に指定できない問題がある。
【０００６】
また、印刷の対象とすべきレコードの選択を受け付ける選択部と、フィニッシング設定を判定する判定部と、選択部により選択された印刷の対象とすべきレコードを含む、判定部により判定されたフィニッシング設定がなされる複数のレコードを印刷の対象として決定する決定部とを備えた装置がある（例えば、特許文献１参照）。
【先行技術文献】
【特許文献】
【０００７】
【特許文献１】特開２０１０−２０４９５３号公報
【発明の概要】
【発明が解決しようとする課題】
【０００８】
しかしながら、このような構成を有する従来例の場合には、次のような問題がある。
すなわち、従来の装置は、ユーザが選択部を介してレコードを選択する必要があるので、シートとレコードとの関係を考慮して再印刷の対象を選択しなければならない。したがって、再印刷の対象であるレコードの決定が極めて煩雑であるという問題がある。
【０００９】
本発明は、このような事情に鑑みてなされたものであって、対応関係を記憶しておくことにより、再印刷の対象であるレコードを容易に決定できる画像検査装置及び再印刷指定方法及びそのプログラム並びにそれを備えた印刷装置を提供することを目的とする。
【課題を解決するための手段】
【００１０】
本発明は、このような目的を達成するために、次のような構成をとる。
すなわち、請求項１に記載の発明は、複数のページにより構成されたレコードを、印刷媒体の印刷領域であるシートごとに前記各ページを印刷して構成された印刷物を検査する画像検査装置であって、前記レコードと前記シートとの対応関係を記憶する対応関係記憶手段と、前記印刷媒体に印刷された前記レコードを前記シート単位で走査したシート走査画像として記憶するシート走査画像記憶手段と、前記シート走査画像を検査するシート走査画像検査手段と、前記シート走査画像の検査結果について前記対応関係に基づきレコードをエラー表示とともに表示する検査結果一覧表示手段と、前記検査結果一覧表示手段に表示された前記レコードに対する再印刷の要否を指示する再印刷要否指示手段と、前記再印刷要否指示手段で再印刷が必要とされた前記レコードについて、当該レコードに対応するシートを前記対応関係により求め、当該シートと対応づけられたレコードを再印刷の対象とする再印刷指定手段と、を備えていることを特徴とするものである。
【００１１】
［作用・効果］請求項１に記載の発明によれば、シート走査画像記憶手段に記憶されたシート走査画像をシート走査画像検査手段で検査し、その検査結果について対応関係に基づきレコードをエラー表示とともに検査結果一覧表示手段に表示する。装置のオペレータは、検査結果一覧表示手段を見ながら、再印刷要否指示手段によってレコードに対する再印刷の要否を指示する。そして、再印刷が必要とされたレコードについて、再印刷指定手段は、対応関係に基づいてレコードに対応するシートを求めるので、このシートと対応づけられたレコードを再印刷の対象として容易に決定できる。
【００１２】
また、本発明において、前記再印刷指定手段は、前記再印刷要否指示手段により再印刷を不要とされた前記レコードについて、当該レコードに関連するレコードを前記対応関係により求め、前記検査結果一覧表示手段におけるこれらのレコードのエラー表示を除去して表示させることが好ましい（請求項２）。
【００１３】
再印刷要否指示手段で再印刷が不要とされたレコードについて、対応関係から当該レコードに関連するレコードを求め、画像検査結果一覧表示手段に表示されているこれらのレコードのエラー表示を除去して表示する。したがって、再印刷が不要とされたレコードに関連するレコードの再印刷不要の指示が容易にできる。
【００１４】
また、本発明において、前記検査結果一覧表示手段は、前記印刷媒体を模した印刷媒体状領域におけるエラー表示のレコードの位置を表示することが好ましい（請求項３）。
【００１５】
画像検査結果一覧表示手段は、印刷媒体状領域にエラー表示のレコードの位置を表示するので、エラーとなったレコードの位置をオペレータが視覚的に確認しやすくできる。
【００１６】
また、請求項４に記載の発明は、複数のページにより構成されたレコードを、印刷媒体の印刷領域であるシートごとに前記各ページを印刷して構成された印刷物を検査する画像検査装置の再印刷指定方法において、前記印刷媒体に印刷された際に、前記レコードと前記シートとの対応関係を記憶する対応関係記憶過程と、前記印刷媒体に印刷された前記レコードを前記シート単位で走査したシート走査画像として記憶するシート走査画像記憶過程と、前記シート走査画像を検査するシート走査画像検査過程と、前記シート走査画像の検査結果について前記対応関係に基づきレコードをエラー表示とともに表示する検査結果一覧表示過程と、前記検査結果一覧表示過程で表示された前記レコードに対する再印刷の要否を指示する再印刷要否指示過程と、前記再印刷要否指示過程で再印刷が必要とされた前記レコードについて、当該レコードに対応するシートを前記対応関係により求め、当該シートと対応づけられたレコードを再印刷の対象とする再印刷指定過程と、を実施することを特徴とするものである。
【００１７】
［作用・効果］請求項４に記載の発明によれば、シート走査画像記憶過程で記憶されたシート走査画像をシート走査画像検査過程で検査し、その検査結果について対応関係記憶過程で記憶された対応関係に基づきレコードを検査結果一覧表示過程にてエラー表示とともに表示する。装置のオペレータは、検査結果一覧表示過程での表示を見ながら、再印刷要否指示過程でレコードに対する再印刷の要否を指示する。そして、再印刷指定過程では、再印刷が必要とされたレコードについて、対応関係に基づいて対応するシートを求めるので、このシートと対応づけられたレコードを再印刷の対象として容易に決定できる。
【００１８】
また、請求項６に記載の発明は、複数のページにより構成されたレコードを、印刷媒体の印刷領域であるシートごとに前記各ページを印刷して構成された印刷物を検査する画像検査装置を備えた印刷装置において、前記印刷媒体に前記印刷物を印刷する印刷手段と、前記レコードと前記シートとの対応関係を記憶する対応関係記憶手段と、前記印刷媒体に印刷された前記レコードを前記シート単位で走査したシート走査画像として記憶するシート走査画像記憶手段と、前記シート走査画像を検査するシート走査画像検査手段と、前記シート走査画像の検査結果について前記対応関係に基づきレコードをエラー表示とともに表示するシート検査結果一覧表示手段と、前記シート検査結果一覧表示手段に表示された前記レコードに対する再印刷の要否を指示する再印刷要否指示手段と、前記再印刷要否指示手段で再印刷が必要とされた前記レコードについて、当該レコードに対応するシートを前記対応関係により求め、当該シートと対応づけられたレコードを前記印刷手段に再印刷させる再印刷制御手段と、を備えていることを特徴とするものである。
【００１９】
［作用・効果］請求項６に記載の発明によれば、印刷手段で印刷された印刷媒体のシート走査画像をシート走査画像記憶手段に記憶し、記憶されたシート走査画像をシート走査画像検査手段で検査し、その検査結果について対応関係に基づきレコードをエラー表示とともにシート検査結果一覧表示手段に表示する。装置のオペレータは、シート検査結果一覧表示手段を見ながら、再印刷要否指示手段によってレコードに対する再印刷の要否を指示する。そして、再印刷が必要とされたレコードについて、再印刷制御手段は、対応関係に基づいてレコードに対応するシートを求めるので、このシートと対応づけられたレコードを再印刷の対象として容易に決定でき、適切に再印刷をさせることができる。
【発明の効果】
【００２０】
本発明に係る画像検査装置によれば、シート走査画像記憶手段に記憶されたシート走査画像をシート走査画像検査手段で検査し、その検査結果について対応関係に基づきレコードをエラー表示とともに検査結果一覧表示手段に表示する。装置のオペレータは、検査結果一覧表示手段を見ながら、再印刷要否指示手段によってレコードに対する再印刷の要否を指示する。そして、再印刷が必要とされたレコードについて、再印刷指定手段は、対応関係に基づいてレコードに対応するシートを求めるので、このシートと対応づけられたレコードを再印刷の対象として容易に決定できる。
【図面の簡単な説明】
【００２１】
【図１】実施例に係る画像検査装置を備えたインクジェット印刷システムの概略構成を示す全体図である。
【図２】連続紙への印刷形態を説明するための模式図である。
【図３】動作を説明するためのフローチャートである。
【図４】印刷処理時に生成された割り付け対応を示す模式図である。
【図５】印刷後の検査結果を示すウインドウの模式図である。
【図６】確認したいレコードを選択した状態を示すウインドウの模式図である。
【図７】再印刷を不要とした場合の印刷後の検査結果を示すウインドウの模式図である。
【図８】検査結果情報を示す模式図である。
【図９】再印刷を決定する表を示す模式図である。
【図１０】再印刷された印刷物を示す模式図である。
【発明を実施するための形態】
【００２２】
以下、図面を参照して本発明の一実施例について説明する。
図１は、実施例に係る画像検査装置を備えたインクジェット印刷システムの概略構成を示す全体図である。
【００２３】
本実施例に係るインクジェット印刷システム１は、給紙部３と、表面印刷装置５と、反転ユニット７と、裏面印刷装置９、排紙部１１とを備えている。
【００２４】
給紙部３は、ロール状の連続紙ＷＰを供給する。表面印刷装置５は、例えば、インクジェット式であり、連続紙ＷＰの表面に印刷を行う。反転ユニット７は、複数個のターンバーを備え、連続紙ＷＰの裏面を上側に反転させる。裏面印刷装置９は、例えば、インクジェット式であり、連続紙ＷＰの裏面に印刷を行う。排紙部１１は、表裏面の印刷を終えた連続紙ＷＰをロール状に巻き取る。
【００２５】
給紙部３は、長尺状の連続紙ＷＰを水平軸周りに回転可能なロール状で格納し、表面印刷装置５に対して連続紙ＷＰを引き出して供給する。排紙部１１は、両面の印刷が行われた連続紙ＷＰを水平軸周りに巻き取る。
【００２６】
表面印刷装置５は、給紙部３からの連続紙ＷＰを取り込むための駆動ローラ１３を上流側に備えている。駆動ローラ１３によって給紙部３から巻き出された連続紙ＷＰは、複数個の搬送ローラ１５に沿って下流側に搬送される。表面印刷装置５は、その最下流に駆動ローラ１７を備えている。駆動ローラ１３と駆動ローラ１７との間には、上流側から印刷部１９と、乾燥部２１と、検査部２２とが配置されている。印刷部１９は、インクジェットヘッド２３を備えている。乾燥部２１は、印刷部１９で印刷された部分を乾燥させる。検査部２２は、印刷部１９で印刷された連続紙ＷＰの表面を走査し、走査画像を取得する
【００２７】
反転ユニット７は、表面印刷装置５の駆動ローラ１７から送り出された連続紙ＷＰの表裏を反転させる。さらに、反転させた連続紙ＷＰを裏面印刷装置９に送り出す。
【００２８】
裏面印刷装置９は、反転ユニット７からの連続紙ＷＰを取り込むための駆動ローラ２５を上流側に備えている。駆動ローラ２５によって取り込まれた連続紙ＷＰは、複数個の搬送ローラ２７に沿って下流側へ搬送される。裏面印刷装置９は、その最下流に駆動ローラ２９を備えている。駆動ローラ２５と駆動ローラ２９との間には、上流側から印刷部３１と、乾燥部３３と、検査部３５とをその順に備えている。印刷部３１は、インクジェットヘッド３７を備えている。乾燥部３３は、印刷部３１で印刷された部分を乾燥させる。検査部３５は、印刷部３１で印刷された連続紙ＷＰの裏面を走査し、走査画像を取得する。
【００２９】
インクジェット印刷システム１は、印刷制御部３８によって印刷に係る制御が統括的に行われる。また、インクジェット印刷システム１で印刷された印刷物は、画像検査コンピュータ３９で検査される。印刷制御部３８と画像検査コンピュータ３９は、互いに通信可能となっており、再印刷の指示等に関する情報を送受信できる。画像検査コンピュータ３９は、制御部４１と、リーダ／ライタ４３と、画像記憶部４５と、画像検査部４７と、対応関係記憶部４９と、表示部５１と、操作部５３とを備えている。
【００３０】
制御部４１は、図示しないＣＰＵやメモリを内蔵し、後述するプログラムＰＧ等を実行して印刷後の検査を行うとともに、印刷制御部３８に対して再印刷等のための制御をしたりする。そのプログラムＰＧは、記憶媒体Ｍに格納されており、リーダ／ライタ４３に装着された際に制御部４１内に読み出され、制御部４１によって実行される。また、印刷制御部３８は、例えばホストコンピュータ（不図示）から印刷データを受信し、これを表面用と裏面用の印刷用データに変換して、表面印刷装置５と裏面印刷装置９に対して送信する。
【００３１】
ここで、図２を参照する。なお、図２は、連続紙への印刷形態を説明するための模式図である。
【００３２】
印刷制御部３８は、印刷用データに基づいて、例えば、図２に示すように連続紙ＷＰに対して印刷を行う。ここでは、クレジットカードの利用代金明細を印刷する場合を例にとって説明する。たとえば、利用者を「レコード」（符号Ｒ）で表し、連続紙ＷＰの搬送方向に区切られた一つの印刷領域を「シート」（符号ＳＨ）で表し、利用者の利用代金明細の１枚を「ページ」（符号Ｐ）で表す。利用代金明細は、連続紙ＷＰの幅方向に二名分が印刷される。レコードＲは、利用者ごとに符号Ｒの後ろに数字を付して区別する。ページＰは、ページごとに符号Ｐの前に数字を付して区別する。また、シートの表面と裏面にそれぞれデコードＤＮを付している。ここでは、連続紙ＷＰの表面に第１の利用者の利用代金明細のページＲ１−１Ｐ及びＲ１−３Ｐが印刷され、その裏面にページＲ１−２Ｐ及びＲ１−４Ｐが印刷され、第１の利用者の幅方向に第３の利用者の利用代金明細のページＲ３−１Ｐ及びＲ３−３Ｐが印刷され、その裏面にページＲ３−２Ｐ及びＲ３−４Ｐが印刷され、第１の利用者の搬送方向に第２の利用者の利用代金明細のページＲ２−１Ｐ及びＲ２−３Ｐが印刷され、その裏面にページＲ２−２Ｐ及びＲ２−４Ｐが印刷され、第２の利用者の幅方向に第４の利用者の利用代金明細のページＲ４−１Ｐ及びＲ４−３Ｐが印刷され、その裏面にページＲ３−２Ｐ及びＲ３−４Ｐが印刷されるものとする。
【００３３】
印刷制御部３８は、上述したような印刷用データに基づいて連続紙ＷＰに対して印刷を行うようにインクジェット印刷システム１を制御する。表面印刷装置５による表面の印刷の後、検査部２２が連続紙ＷＰの印刷物を走査し、裏面印刷装置９による裏面の印刷の後、検査部３５が連続紙ＷＰの印刷物を走査する。この走査は、上述したシートＳＨ単位で行われる。走査して得られたレコードＲの画像を含むシート走査画像は、画像記憶部４５に格納される。画像記憶部４５に格納されたシート画像は、印刷用データに基づいて画像検査部４７によって検査される。上述した図２におけるシートＳＨとレコードＲとの対応関係は、対応関係記憶部４９に格納される。表示部５１は、レコードＲの画像を含むシート走査画像をＧＵＩ（グラフィックユーザインターフェイス）のウインドウとともに表示したり、検査結果を表示したりする。操作部５３は、例えば、マウスやキーボードで構成され、検査結果を操作したり、再印刷の要否等を指示したりするためにユーザによって操作される。
【００３４】
なお、上述したインクジェット印刷システム１及び印刷制御部３８及び画像検査コンピュータ３９が本発明における「印刷装置」に相当し、画像検査コンピュータ３９が本発明における「画像検査装置」に相当し、対応関係記憶部４９が本発明における「対応関係記憶手段」に相当し、画像記憶部４５が本発明における「シート走査画像記憶手段」に相当し、画像検査部４７が本発明における「シート画像検査手段」に相当し、表示部５１が本発明における「検査結果一覧表示手段」に相当し、操作部５３が本発明における「再印刷要否指示手段」に相当し、制御部４１が本発明における「再印刷指定手段」及び「再印刷制御手段」に相当する。
【００３５】
ここで図３〜図１０を参照して、上述したインクジェット印刷システム１及び印刷制御部３８並びに画像検査コンピュータ４９の動作について説明する。なお、図３は、動作を説明するためのフローチャートである。
【００３６】
また、図４は、印刷処理時に生成された割り付け対応を示す模式図であり、図５は、印刷後の検査結果を示すウインドウの模式図であり、図６は、確認したいレコードを選択した状態を示すウインドウの模式図であり、図７は、再印刷を不要とした場合の印刷後の検査結果を示すウインドウの模式図であり、図８は、検査結果情報を示す模式図であり、図９は、再印刷を決定する表を示す模式図であり、図１０は、再印刷された印刷物を示す模式図である。
【００３７】
ステップＳ１
印刷制御部３８は、受信した印刷データを印刷用データに変換するとともに、その印刷用データに基づいてインクジェット印刷システム１を操作し、連続紙ＷＰに対する印刷を行う。ここでは、印刷が図２に示すような形態で行われたとする。
【００３８】
ステップＳ２
制御部４１は、印刷用データに基づいて図４に示す対応関係を対応関係記憶部４９に格納する。なお、全体ページ番号は、一度に印刷する際のページ番号を表し、レコード番号は、レコードＲに付した番号であり、レコード内ページ番号は、同じレコードＲ内のページＰに付した番号であり、シート番号は、シートＳＨに付した番号である。また、表／裏は、連続紙ＷＰの表裏のいずれであるかを示す。
【００３９】
ステップＳ３
制御部４１は、表面印刷装置５の検査部２２及び裏面印刷装置９の検査部３５から走査画像を受信し、シートごとに走査された、レコード画像を含むシート走査画像を画像記憶部４５に格納させる。そして、制御部４１は、画像検査部４７に対して、検査の基準となる印刷用データとシート走査画像とを比較させて検査処理を行わせる。検査処理における検査結果は、画像検査部４７内に記憶される。この検査結果は、例えば、図８に示すようなものであり、シートＳＨごとに表裏における検査結果が記録されている。
【００４０】
ステップＳ４
制御部４１は、画像検査部４７における検査結果について対応関係を考慮して表示部５１に表示させる。ここでは、例えば、図５に示すように、表示部５１のウインドウ上に、検査結果表示エリアＩＲＡと、連続紙ＷＰの長尺形態を模した連続紙状領域ＷＰＡが表示されている。検査結果表示エリアＩＲＡは、レコードＲごとに検査結果が良好であることを示す「ＯＫ」または検査結果が欠点を含む不良であることを示す「ＮＧ」のいずれかで表示される。連続紙状領域ＷＰＡは、対応関係記憶部４９に記憶されている対応関係に基づいて連続紙ＷＰにおけるレコードＲの印刷位置に対応させ、検査結果が「ＮＧ」となったものについてだけその位置を表示する。なお、通常は、検査結果が「ＮＧ」のものは、デフォールトで再印刷が設定されている。
【００４１】
なお、上記の検査結果の「ＮＧ」が本発明における「エラー表示」に対応する。
【００４２】
ステップＳ５
ユーザは、上述した検査結果表示エリアＩＲＡの中から、確認したいレコードＲを操作部５３によって選択する。通常は、ここで選択するのは、検査結果が「ＮＧ」となった再印刷対象のレコードＲである。
【００４３】
ステップＳ６
すると、制御部４１は、選択されたレコードＲを含むシート走査画像のうちのそのレコードＲの走査画像を対応関係記憶部４９の対応関係に基づいて取り出し、図６に示すように走査画像表示領域ＳＦＡに表示させる。そして、走査画像表示領域ＳＦＡに表示されているレコードＲの走査画像を見ながら、ユーザは検査結果に問題がないがないか否かを判断し、再印刷が必要か不要かを、再印刷要否設定領域ＲＰＡにおいて操作部５３によって設定する。なお、走査画像表示領域ＳＦＡは、印刷用データと対応関係とに基づいて、レコードＲに対応する印刷用データの画像が並べて配置され、検査結果が妥当であるか否かをユーザが容易に確認できる。
【００４４】
ここで、例えば、図６に示すようにレコードＲの走査画像を表示させ、その走査画像に問題がなかった場合には、再印刷要否設定領域ＲＰＡを操作部５３で操作して再印刷解除を設定する。すると、図７に示すように、図６では検査結果が「ＮＧ」であったレコードＲの検査結果における「ＮＧ」（図５中に示した太枠内）が除除されて表示され、代わりに「ＯＫ」に変更される（図７中に示した太枠内）。この結果は、連続紙状領域ＷＰＡに反映されるとともに、画像検査部４７の検査結果に反映される。
【００４５】
ステップＳ７
上述した処理のなかで検査結果「ＮＧ」が妥当であることが確認されたり、検査結果「ＯＫ」と判断したものが妥当ではないので再印刷が必要であると判断され、再印刷要否設定領域ＲＰＡで再印刷が設定されたりした場合には、制御部４１は、インクジェット印刷システム１に対して再印刷を指示する。
【００４６】
ステップＳ８
制御部４１は、対応関係記憶部４９に記憶されている対応関係（図４）と、画像検査部４７における検査結果（図８）とに基づいて、どのレコードＲのどのページＰを印刷すればよいかを判断する。印刷制御部３８は、その結果に基づいて印刷データから再印刷のための印刷用データを変換して生成させ、その再印刷のための印刷用データをインクジェット印刷システム１に送信する。
【００４７】
ここでは、例えば、図２のレコードＲ３のページ１（符号Ｒ３−１Ｐであり、シートＳＨ４）に欠点（図２中にＮＧと示す）があったとする。この場合には、レコードＲ３が１Ｐ〜４Ｐの４ページ（２つシートＳＨ３，ＳＨ４）で構成されているので、欠点があったシートＳＨ４のレコードＲ３の１Ｐだけを再印刷することはできず、その裏面の２Ｐと、同じレコードＲ３の３Ｐとその裏面の４Ｐ（シートＳＨ３）とを再印刷する必要がある。さらに、再印刷されるシートＳＨ４は、レコードＲ３だけでなく、レコードＲ１も印刷されている。したがって、レコードＲ１−１Ｐ〜Ｒ１−４Ｐまでが同時に再印刷の対象と判断される。
【００４８】
このような判断は、図９の再印刷を決定する表に基づいて制御部４１によって行われる。この表は、図４の対応関係と、図８の検査結果とから生成される。つまり、この表から、レコードＲ３−１ＰがＮＧであるので、まずそのレコードＲ３−１Ｐが再印刷の対象となり（図中の符号（１））、そのレコードＲ３のページを構成するレコードＲ３−２Ｐ〜４Ｐが再印刷の対象となり（図中の符号（２））、さらに、同じシートＳＨ４に印刷されるレコードＲ１−１Ｐが再印刷の対象となり（図中の符号（３））、そのレコードＲ１のページを構成するレコードＲ１−２Ｐ〜４Ｐが再印刷の対象となる（図中の符号（４））。つまり、図９中に太枠線で示したものが全て再印刷の対象となる。その結果に基づいて、印刷制御部３８は、インクジェット印刷システム１に対して連続紙ＷＰへの再印刷の指示を行う。その再印刷の結果を示すのが、図１０である。
【００４９】
本実施例によると、インクジェット印刷システム１で印刷された連続紙ＷＰのシート走査画像を画像記憶部４５に記憶し、記憶されたシート走査画像を画像検査部４７で検査し、その検査結果について対応関係に基づきレコードＲを検査結果である「ＯＫ」、「ＮＧ」とともに表示部５１に表示する。装置のオペレータは、表示部５１を見ながら、操作部５３によってレコードＲに対する再印刷の要否を指示する。そして、再印刷が必要とされたレコードＲについて、制御部４１は、対応関係に基づいてレコードＲに対応するシートＳＨを求めるので、このシートＳＨと対応づけられたレコードＲを再印刷の対象として容易に決定できる。したがって、適切に再印刷をさせることができる。
【００５０】
また、操作部５３で再印刷が不要とされたレコードＲについて、対応関係からレコードＲに関連するレコードＲを求め、表示部５１に表示されているレコードＲの「ＮＧ」を除去して表示する。したがって、再印刷が不要とされたレコードＲに関連するレコードＲの再印刷不要の指示が容易にできる。
【００５１】
さらに、表示部５１は、連続紙状領域ＷＰＡに「ＮＧ」のレコードＲの画像位置を表示するので、「ＮＧ」となったレコードＲの位置をオペレータが視覚的に確認しやすくできる。
【００５２】
本発明は、上記実施形態に限られることはなく、下記のように変形実施することができる。
【００５３】
（１）上述した実施例では、印刷装置としてインクジェット印刷システム１を例にとって説明したが、本発明はこのような印刷装置に限定されない。例えば、本発明は、長尺状の連続紙ＷＰに印刷を行う印刷装置であれば、電子写真方式などの他の印刷装置であっても適用することができる。
【００５４】
（２）上述した実施例では、両面印刷を行うインクジェット印刷システム１を例にとったが、本発明は片面だけの印刷を行うインクジェット印刷システム１にも適用できる。
【００５５】
（３）上述した実施例では、検査結果の表示の際に、連続紙ＷＰを模した連続紙状領域ＷＰＡを表示部５１に表示させるようにしているが、本発明は必ずしも連続紙状領域ＷＰＡの表示を備える必要はない。
【００５６】
（４）上述した実施例では、再印刷が不要であることを指示した場合には、検査結果がエラー表示である「ＮＧ」を除去して表示するようにしているが、本発明は検査結果をそのまま採用して、再印刷が不要である指示を行わないようにしてもよい。
【００５７】
（５）上述した実施例では、印刷媒体として連続紙ＷＰを採用しているが、本発明は長尺状であれば他の印刷媒体、例えば、フィルムであっても適用することができる。
【符号の説明】
【００５８】
１  …  インクジェット印刷システム
３  …  給紙部
５  …  表面印刷装置
７  …  反転ユニット
９  …  裏面印刷装置
１１  …  排紙部
ＷＰ  …  連続紙
１９，３１  …  印刷部
２２，３５  …  検査部
３８  …  印刷制御部
３９  …  画像検査コンピュータ
４１  …  制御部
４３  …  リーダ／ライタ
４５  …  画像記憶部
４７  …  画像検査部
４９  …  対応関係記憶部
５１  …  表示部
Ｍ  …  記憶媒体
Ｒ  …  レコード
ＳＨ  …  シート
Ｐ  …  ページ
ＰＧ  …  プログラム
ＤＮ  …  デコード
ＩＲＡ  …  検査結果表示エリア
ＷＰＡ  …  連続紙状領域ＷＰＡ
ＳＦＡ  …  走査画像表示領域
ＲＰＡ  …  再印刷要否設定領域
【図１】
0006453130.tif 000002
【図２】
0006453130.tif 000003
【図３】
0006453130.tif 000004
【図４】
0006453130.tif 000005
【図５】
0006453130.tif 000006
【図６】
0006453130.tif 000007
【図７】
0006453130.tif 000008
【図８】
0006453130.tif 000009
【図９】
0006453130.tif 000010
【図１０】
0006453130.tif 000011